(57)【要約】【課題】商品包装体に取付けられる懸賞応募用ラベルの不正流出（盗難等）およびそのラベルの応募を排除するためのラベル係着方法および商品包装体。【解決手段】応募された懸賞応募用ラベル（１）が商品包装体（６）に係着されていたラベルであることを認証するために、該ラベル（１）を商品包装体に係着するラベル係着工程において、該ラベル（１）に係着証明印影（Ｓ）を表出させる。係着証明印影（Ｓ）は、文字，数字，記号，マーク等の１種又は２種以上の要素で構成され、例えば、感熱発色性インキ層の加熱発色反応により、あるいはホログラム金属箔の転写等により表出される。応募されたラベルの履歴（商品包装体に係着されていたラベルか、不正流出ラベルか）を係着証明印影（Ｓ）の有無により容易かつ確実に判別することができる。【選択図】図２
2004018067.tif 000002
【特許請求の範囲】
【請求項１】
応募された懸賞応募用ラベルが、商品包装体に係着されていたラベルであることを認証するために、商品包装体に対する懸賞応募用ラベルの係着工程において、該ラベルに係着証明印影を表出することを特徴とする懸賞応募用ラベルの係着方法。
【請求項２】
請求項１に記載の方法により係着証明印影を表出された懸賞応募用ラベルが係着されている商品包装体。
【発明の詳細な説明】
【０００１】
【発明の属する技術分野】
本発明は、懸賞応募用ラベルの商品包装体への係着方法および該ラベルを係着された商品包装体に係り、特に懸賞応募用ラベルの不正流通の防止を目的とし、応募されたラベルが所定の商品包装体に係着されていたものであるか、または商品包装体に係着されることなく不正に流出した未使用ラベルであるかを容易に判別することができるようにしたものである。
【０００２】
【従来の技術】
従来、商品キャンペーンの一環として、商品に懸賞応募用ラベルを添付することが行なわれている。近時、この種のラベルは集めれば必ず景品が当たる等、金券扱いされる傾向もみられる。これに伴い、ラベルの製造元・使用元から不正に流出した懸賞応募用ラベル（盗難品等）がインターネット上で売買される等、その不正流通が増加しつつある。懸賞応募用ラベルのラベル形態は様々であるが、例えば、タックラベル方式の懸賞応募用ラベルでは、図１１に示すように多数の懸賞応募用ラベル（１）を長尺帯状の離型紙（２）に一定間隔で貼着保持させたラベルシート（３）として取り扱われ、使用前（商品包装体に係着される前）は、図１２に示すようにロール（４）に巻取られて保管される。懸賞応募用ラベル（１）が未使用のままロールごと外部に不正流出（盗難等）し、懸賞提供者側（商品販売元等）では、その回収に多大の労力・費用の負担を余儀なくされているという報告もなされている。
【０００３】
【発明が解決しようとする課題】
不正流出した懸賞応募用ラベルは、それ自体真正のラベルであって偽造品ではない。ラベルの偽造防止・真贋の識別という問題であれば、特殊印刷の適用や暗号の刷り込み等により、応募された懸賞応募用ラベルの真偽を判定し偽造品を排除することができる。しかし、応募された懸賞応募用ラベル（偽造ラベルではない）が、正当な流通経路を通ったもの（商品包装体に係着されていたもの）か、それとも不正流出したもの（盗難ラベル等）であるかを判別することは至難である。殊に商品キャンペーン等の比較的短い期間に応募が集中するような場合、大量の応募ラベルの１枚ずつを効率良く正確に判別することは殆ど不可能である。
【０００４】
本発明は上記に鑑み、応募された懸賞応募用ラベルが、商品包装体に係着され所定の流通経路を通ったラベルであるか、そうではないラベル（盗難品等）であるかを、容易かつ正確に判定することができるようにした懸賞応募用ラベルの係着方法及び該ラベルを係着された商品包装体を提供するものである。
【０００５】
【課題を解決するための手段】
本発明に係る懸賞応募用ラベルの係着方法は、応募された懸賞応募用ラベルが、商品包装体に係着されていたラベルであることを認証するために、商品包装体に対する懸賞応募用ラベルの係着工程において、該ラベルに係着証明印影を表出することを特徴としている。
【０００６】
本発明の懸賞応募用ラベル付き商品包装体は、上記の方法により係着証明印影を表出された懸賞応募用ラベルが係着されている。
【０００７】
懸賞応募用ラベルの係着証明印影を、商品包装体に対するラベルの係着工程で表出させることとしているのは、係着証明印影の実効性を確保するためである。係着工程への導入前に、係着証明印影を付したのでは、その懸賞応募用ラベルが、係着工程に導入されずに（商品包装体に取付けられることなく）外部に流出した場合、不正流出ラベルであるに拘わらず、係着証明印影が付されているという理由で、正当に流通したラベルであると誤認されてしまう。係着証明印影の表出をラベル係着工程で行なうこととすれば、このような不都合を防止し、流通経路の正否を、係着証明印影の有無によって確実に判別することができる。
【０００８】
また、流通経路の正否の判定を、係着証明印影の有無に基づいて行なうのであるから、商品包装体に係着されたラベルには、必ず係着証明印影が付されていること（係着証明印影の欠落＝表出洩れ＝がないこと）を要する。係着証明印影が欠落していると、正当に流通したラベル（商品包装体に係着されていたラベル）であっても、係着証明印影がないという理由によって、そのラベルの応募行為が不正行為と判定されることになる。このような錯誤判定は、応募者（一般消費者）および商品提供者の双方にとって重大な損失を惹起することになる。係着証明印影の表出操作をラベルの係着工程で実施すれば、係着証明印影の欠落（表出洩れ）とそれに付随する上記不具合を確実に回避し、懸賞応募用ラベルの健全な流通を確保することができる。
【０００９】
本明細書における「ラベルの係着工程」の語は、ラベルシートのロール（３）あるいは枚葉ラベルを多数集積したストッカー等から、懸賞応募用ラベル（１）を供給して商品包装体の一つひとつに、貼着その他の方法により係着させるラベル係着工程を意味しているほか、ラベルを係着された商品包装体の外観検査等、商品包装体の梱包に到るまでの工程を包含している。
【００１０】
【発明の実施の形態】
次に、本発明における懸賞応募用ラベルの構成、商品包装体への係着方法及び該ラベルを付された商品包装体について、実施例を示す図面を参照して具体的に説明する。
図１は、商品包装体に貼着される前（係着証明印影は未表出）のラベル（１）のおもて面を示している。このラベル（１）は、表示印刷部（Ａ）のほかに、余白部（Ｂ）が設けられている。余白部（Ｂ）は、係着証明印影を表出するためのスペースである。表示印刷部（Ａ）は、そのラベルが懸賞応募用ラベルである旨、その他の所要事項（商品名・販売元名等）が印刷インキ層（１１４）により表示された部分であり、これは通常の懸賞応募用ラベルと異ならない。
【００１１】
図２及び図３は、上記懸賞応募用ラベル（１）が商品包装体（６）に係着され、おもて面の余白部（Ｂ）に係着証明印影（Ｓ）が表出された状態を示している。係着証明印影（Ｓ）は、文字，数字，記号，マーク，模様等を構成要素とし、その１種又は２種以上の組合わせとして構成されている。これらの係着証明印影（Ｓ）は、例えば、感熱発色性インキの加熱発色により表出され、あるいはホログラム調金属箔等の転写等により表出される。
【００１２】
懸賞応募用ラベル（１）の余白部（Ｂ）は、係着証明印影（Ｓ）の表出手段に応じた適宜の処理が施される。図４は、余白部（Ｂ）の表面に、感熱発色性インキ印刷層（１１５）が設けられたラベル（１）の例を示している。この感熱発色性インキ層（１１５）に、図５に示すように版ローラ（７５）（加熱ローラである）を転接させる。版ローラ（７５）の周面には、係着証明印影（Ｓ）に対応する特定の凹凸パターンが刻設されており、これを感熱発色性インキ層（１１５）の表面に押圧転接させると、感熱発色性インキ層（１１５）に、ローラ周面の凹凸パターンによる選択的な発色反応が生起し係着証明印影（Ｓ）が表出される。
【００１３】
懸賞応募用ラベル（１）の余白部（Ｂ）に、ホログラム調の係着証明印影（Ｓ）を表出させる場合は、ホログラム箔転写用シートが使用される。ホログラム箔転写用シート（５）は、図６に示すように、基材シート（５１）に、剥離層（５２）を介してホログラム調の表面凹凸を有する樹脂層（５３）を形成し、これにアルミ等を真空蒸着してなる金属箔（５４）を設けたうえ、感熱性接着剤層（５５）を積層した層構成を有している。図７に示すように、このホログラム箔転写用シート（５）を、版（７６）を介してタックラベルの余白部（Ｂ）表面に押圧させる。版（７６）（熱版である）の表面は、係着証明印影（Ｓ）に対応する特定の凹凸パターンが刻設されており、感熱性接着剤層（５３）は版（７６）の凹凸パターンにより選択的に活性化（接着性を発現）される。これにより金属箔（５２）は余白部（Ｂ）表面に選択的に（版の凹凸パターンに一致して）転写され、ホログラム調の係着証明印影（Ｓ）が表出される。
【００１４】
このように商品包装体に係着された懸賞応募用ラベル（１）に特定のパターンの印影を表出すれば、不正流出ラベルにこれを模倣して表出することは容易でなく、不正流通ラベルを排除することができる。
係着証明印影（Ｓ）の表出方法及び形態に関する上記説明は一例であり、印影の形態や表出方法は任意である。図示の例では、懸賞応募用ラベル（１）のおもて面に係着証明印影（Ｓ）を表出しているが、ラベル（１）のフィルムの内側に表出させるようにしてもよい。また、係着証明印影（Ｓ）の表出面域についても、上記説明ではラベルのおもて面に余白部（Ｂ）を設けているが、必ずしもそうする必要はなく、表示印刷部（Ａ）の判読を妨げない印影の表出であれば、余白部（Ｂ）を省略し、表示印刷部（Ａ）の面域に係着証明印影（Ｓ）を重複して表出させてもよい。
【００１５】
係着証明印影（Ｓ）は、肉眼で視認することができる印影のほか、肉眼では見えない特定波長域（紫外領域，赤外領域等）で識別される蛍光インキ等により形成される印影であってよい。もっとも、多数の応募者の中には、懸賞応募用ラベルが不正流出したものであることを知らずに応募することもあり得るので、係着証明印影（Ｓ）を肉眼で視認できるように表出することが好ましく、更に「係着証明印影のないものは無効です」等と表示すれば、懸賞応募用ラベルの不正流出（盗難等）を抑止し、上記応募行為の未然防止、および募集側における不正応募の判別・排除に要する煩瑣な仕分け作業の負担を軽減緩和することができる等の効果を期待することもできる。
【００１６】
タックラベル方式の懸賞応募用ラベル（１）の構成について、その代表的な層構成を述べると、図８に示すように、ラベル本体層（１１）と基部層（１２）の２層からなる。該タックラベル（１）は、下面の粘着剤層（１２２）を介して商品包装体（６）に貼着固定される。応募ラベルとなるのは、ラベル本体層（１１）であり、ラベル本体層（１１）は、粘着剤層（１１３）を介して基部層（１２）の上に、剥離可能に粘着されている。
【００１７】
上記ラベル本体層（１１）及び基部層（１２）のそれぞれは、複数の層で形成され、その多層構造についても、通常の懸賞応募用ラベルと特に異ならないが、一例を示せば図９のようである。図において、応募ラベルとなるラベル本体層（１１）は、基材フィルム（１１１）のおもて面に、前述の表示印刷インキ層（１１４）及び表出された係着証明印影（Ｓ）を有する一方、下面側に印刷インキ層（１１２）及び粘着剤層（１１３）が形成され、印刷インキ層（１１２）により、懸賞の当たり／外れ，賞品等級・点数等が表示されている。他方、基部層（１２）は、基材フィルム（１２１）の下面側に粘着剤層（１２２）を有し、上面側に印刷インキ層（１２３）及び離型層（１２４）が形成されている。印刷インキ層（１２３）は応募要領等を表示した層であり、離型層（１２４）は、応募ラベルとなるラベル本体層（１１）を剥離可能に粘着保持するためのシリコーン等で形成された層である。上記の基部層（１２）は、懸賞応募用ラベル（１）の応募形態（例えば賞品等級・点数の表示がなく所定枚数の収集を応募基準とする場合など）に応じて省略される場合もある。
【００１８】
なお、懸賞応募用ラベル（１）のラベル形式は多岐にわたり、前記タックラベル方式のほか、グルーラベル、感熱接着性ラベル、チューブ切取りタイプのラベル等の各種形式が知られ、ラベル形式により商品包装体への係着の仕方も異なる。タックラベル（裏面に粘着剤層が設けられている）は、裏面の粘着剤層を介して商品包装体に貼着されるラベルであり、グルーラベルは、商品包装体に係着されるに際して裏面に糊を塗布され、塗布された糊で商品包装体に貼着されるラベルである。感熱接着性ラベル（裏面に感熱性接着剤が塗布されている）は、商品包装体に係着されるに際し裏面の感熱性接着剤を加熱活性化（接着作用が発現）され、その接着作用で商品包装体に貼着されるラベルである。また、チューブ切取り型ラベルは、熱収縮性フィルムチューブ（チューブの熱収縮作用を利用して商品包装体に装着＝抱着＝される）の一部を懸賞応募用ラベルとする（商品購入者においてチューブから懸賞応募用ラベルとなる部分が切取られる）ものである。本発明は、ラベル形式を異にするこられ各種の懸賞応募用ラベルに適用して前記作用効果を奏するものである。
【００１９】
次に、懸賞応募用ラベルの商品包装体への係着及び係着証明印影の表出操作について、タックラベル方式の懸賞応募用ラベルを使用する場合を例に挙げて説明する。図１０は、タックラベラー（７）において、商品包装体（６）に順次懸賞応募用ラベル（１）を係着（ラベル裏面の粘着剤層を介して貼着）し、係着証明印影（Ｓ）を表出する操作を連続的に反復実施する様子を示している。
商品包装体（６）はコンベア（７７）により所定のピッチで連続的に送り込まれ、これに同調してシートロール（４）からタックラベルシート（３）が巻出され、コンベア上の商品包装体（６）に向かって送給される。なお、タックラベルシート（３）上のタックラベル（１）は、例えば感熱発色性インキ層（１１５）をおもて面の余白部（Ｂ）に印刷されたラベル（図５）である。
【００２０】
シートロール（４）から巻出されるタックラベルシート（３）は、移送路（７１）に沿って移送され、ディスペンサー（７２）の先端に達すると、離型紙（２）（図１１）が鋭角に折り曲げられる。その鋭角折り曲げ（離型紙の反転）に伴ってタックラベル（１）は、離型紙から剥ぎ起こされディスペンサー（７２）の先端より前方に突出する。突出したタックラベル（１）は、コンベア（７７）で搬送されてきた商品包装体（６）の表面に、押えローラ（７３）（スポンジローラ等）で押付けられ、ついで押圧ベルト（７４）の押圧作用で安定な貼着状態となる。タックラベル（１）を剥ぎ取られた後の離型紙（２）は残材として送りローラー（７８）により送出され回収される。
【００２１】
押圧ベルト（７４）の下流側には、版ローラ（７５）が配置されている。版ローラ（７５）は、前記図５で説明したように、係着証明印影（Ｓ）に対応する凹凸パターンがローラ周面に刻設された加熱ローラである。タックラベル（１）を貼着された商品包装体（６）が版ローラ（７５）部を通過する際に、タックラベル（１）のおもて面の感熱発色性インキ層（１１５）（図５）に、版ローラ（７５）が押圧転接し、版ローラに形成されている特定の凹凸パターンによる選択的な発色反応によって係着証明印影（Ｓ）が表出される。
【００２２】
上記の例では、版ローラ（７５）を使用して係着証明印影（Ｓ）を表出させているが、版ローラ（７５）に代えて、所定の凹凸パターンが刻設されたスタンプ面を有するスタンプ体（図示せず）を設置し、スタンプ体の進退往復動作によりタックラベル（１）の感熱発色性インキ層に押捺する方式を採用することもできる。また、タックラベル（１）の余白部（Ｂ）にホログラム金属箔の係着証明印影（Ｓ）を表出させる場合は、前記図７に示したホログラム箔転写装置を配置し、特定の凹凸パターンが刻設された版（７６）で金属箔の選択的な転写（ホットスタンプ）を行なえばよい。
【００２３】
また、係着証明印影（Ｓ）の表出操作を、上記の例では押圧ベルト（７４）の下流側（タックラベル貼着の後）で行なっているが、例えばラベルシート移送途中の適宜位置（傾斜移送台７１又はその上流側等）において実施することもできる。特に商品包装体（６）が円筒状の缶容器やボトル（ペットボトル等）のように曲面を有するものである場合は、係着証明印影（Ｓ）の全体が鮮明に表出されるように、商品包装体に貼着される前のラベルシート移送途中で表出操作を行なう方がよい。
【００２４】
上記はタックラベル方式の懸賞応募用ラベル（１）を商品包装体に係着させる場合の例であるが、グルーラベル，感熱接着性ラベル，チューブ切り取り型ラベル等、ラベル形式や商品包装体に対する係着方法の異なる懸賞応募用ラベル（１）についても、商品包装体の一つひとつに懸賞応募用ラベルを供給しながら商品包装体に取付けるラベル係着工程で係着証明印影（Ｓ）の表出操作を実施することにより効率的に洩れなく係着証明印影を表出させることができる。
【００２５】
【発明の効果】
本発明によれば、応募された懸賞応募用ラベルが正当な流通経路を経たものか、そうでないラベルであるかを容易かつ確実に判別することができる。不正流出行為等の抑止にも奏効し、懸賞応募用ラベルの健全な流通が確保され、不正流出ラベルの回収や大量の応募ラベルの正否判別等に要する多大の費用・労力が緩和解消される。
【図面の簡単な説明】
【図１】本発明における懸賞応募用ラベルのおもて面（係着証明印影の表出前）の例を示す平面図である。
【図２】本発明における懸賞応募用ラベルのおもて面（係着証明印影の表出後）の例を示す平面図である。
【図３】本発明における懸賞応募用ラベルのおもて面（係着証明印影の表出後）の他の例を示す平面図である。
【図４】本発明における懸賞応募用ラベルの例を示す側面図である。
【図５】係着証明印影の表出方法の例を示す側面図である。
【図６】係着証明印影の表出に使用されるホログラム箔転写用シートの例を示す断面図である。
【図７】係着証明印影の表示方法の他の例を示す側面図である
【図８】商品包装体に懸賞応募用ラベルが貼着された状態を示す側面説明図である。
【図９】懸賞応募用ラベルの積層構造の例を示す断面図である。
【図１０】商品包装体に対する懸賞応募用ラベルの貼着及び係着証明印影の表出工程の例を示す説明図である。
【図１１】ラベルシートを示す側面図である。
【図１２】ラベルシートの巻取りロールを示す斜視図である。
【符号の説明】
１：懸賞応募用ラベル
１１：ラベルの本体層（応募ラベル）
１１１：基材フィルム，１１２：印刷インキ層，１１３：粘着剤層，
１１４：印刷インキ層，１１５：感熱発色性インキ層
１２：ラベルの基部層
１２１：基材フィルム，１２２：粘着剤層，１２３：印刷インキ層，
１２４：離型層
２：帯状離型紙
３：ラベルシート
４：ラベルシート巻取りロール
５：ホログラム箔転写用シート
５１：基材シート，５２：離型層，５３：樹脂層，５４：金属箔層，
５５：加熱性接着剤層
６：商品包装体
７：連続式タックラベラー
７１：傾斜移送路，７２：ディスペンサー，７３：押えローラ，
７４：押圧ベルト，７５：版ローラ，　　　７６：版，
７７：コンベア，　７８：残材送りローラ
Ａ：表示印刷部
Ｂ：余白部
Ｓ：係着証明印影
【図１】
2004018067.tif 000003
【図２】
2004018067.tif 000004
【図３】
2004018067.tif 000005
【図４】
2004018067.tif 000006
【図５】
2004018067.tif 000007
【図６】
2004018067.tif 000008
【図７】
2004018067.tif 000009
【図８】
2004018067.tif 000010
【図９】
2004018067.tif 000011
【図１０】
2004018067.tif 000012
【図１１】
2004018067.tif 000013
【図１２】
2004018067.tif 000014